(57)【要約】【課題】簡易に歯磨き効果が優られ、また大量生産に相応しい構造からなるクリーナーを提供する。【解決手段】本発明の歯牙クリーナーは、磨き布の一面に指挿入部を形成するためのシートが付着され、前記磨き布の他面の所定箇所には口腔清潔剤を含んでいる歯牙洗浄部が設けられている。前記歯牙洗浄部は、例えば、（ａ）前記磨き布の他面に塗り付けられたペースト状の口腔清潔剤、（ｂ）前記磨き布の他面に付着され、口腔清潔剤を含む綿またはスポンジ、（ｃ）前記磨き布の他面に形成され、エンボスされた２枚のパルプ紙であって、前記パルプ紙を対称に合紙させることにより形成される内部空間に口腔清潔剤が充填されるところのパルプ紙、（ｄ）前記磨き布の他面に付着され、口腔清潔剤を含む水膨張材、（ｅ）前記磨き布の他面に付着され、口腔清潔剤を含む多孔質の不織布、などを含む。【選択図】図１
2007029730.tif 000002
【特許請求の範囲】
【請求項１】
磨き布の一面に指挿入部を形成するためのシートが付着され、前記磨き布の他面の所定箇所には口腔清潔剤を含んでいる歯牙洗浄部が設けられている歯牙クリーナー。
【請求項２】
前記歯牙洗浄部は、
（ａ）前記磨き布の他面に塗り付けられたペースト状の口腔清潔剤、
（ｂ）前記磨き布の他面に付着され、口腔清潔剤を含む綿またはスポンジ、
（ｃ）前記磨き布の他面に形成され、エンボスされた２枚のパルプ紙であって、前記パルプ紙を対称に合紙させることにより形成される内部空間に口腔清潔剤が充填されるところのパルプ紙、
（ｄ）前記磨き布の他面に付着され、口腔清潔剤を含む水膨張材、
（ｅ）前記磨き布の他面に付着され、口腔清潔剤を含む多孔質の不織布、
（ｆ）前記磨き布の他面の所定箇所に縦横に配列された半球状のシリコンドットであって、前記シリコンドット列の間に口腔清潔剤が充填されるところのシリコンドット、
（ｇ）前記磨き布の他面に形成された液状の口腔清潔剤層と固形の口腔清潔剤層、
のうち何れか１つを含むことを特徴とする請求項１に記載の歯牙クリーナー。
【請求項３】
前記磨き布の一面に付着されるシートの表面に歯石を取るための研磨層が更に設けられていることを特徴とする請求項１に記載の歯牙クリーナー。
【発明の詳細な説明】
【技術分野】
【０００１】
この発明は、簡便に携帯でき、旅行やレジャーにて歯牙洗浄部で柔らかに歯牙や歯茎、歯周を擦って簡易な歯磨きができる歯牙クリーナーに関する。
【背景技術】
【０００２】
歯ブラシを使わずに歯磨きする歯牙クリーナーは、特許文献１により、歯を清潔にする小道具として知られているように、指先に嵌める指貫のような管状体を有し、この管状体の表面には接着剤により布屑、または繊維粉等が付着されており、その上に歯磨き物質が吹き付けられる構成になっており、または特許文献２における濡れ歯磨き材の記載にように、ポリエチレンシートの両側に紙が添付された吸い取り材に口臭防止洗口液、薬用成分、滋養成分等が含浸された構成であること等が知られている。
【特許文献１】特開昭４８−５５６１号公報（第６頁、図１、図３）
【特許文献２】特開平２−１２４８１２号公報（第４頁、図１〜３）
【発明の開示】
【発明が解決しようとする課題】
【０００３】
歯ブラシと歯磨き粉がなくても歯磨きできる歯牙クリーナーは、旅行やレジャーにおいて非常に便利である。ところで、歯牙クリーナーは一回の使用で廃棄される物品であるからその製品原価は安ければ安いほどよい。
【０００４】
しかし、公知の歯牙クリーナーには安価と称せる製品が見当たらない。
【０００５】
その理由は、特許文献１の歯を清潔化する部品の場合は管状体の製造費用が高く、特許文献２の濡れ歯磨き材の場合は吸い取り材を収納するための缶、または袋状の収納体を要するからである。
【０００６】
一方、エンボス加工された不織布を口腔清潔剤に含浸させた後に、一面に指先挿入部分になる織布を重ねて超音波で接着すると同時に、金型で形抜きして所定形状の歯牙クリーナーを大量生産する技術が知られている。
【０００７】
ところで、前記の知られている技術により得られるエンボス加工された歯牙クリーナーには次のような課題がある。
【０００８】
まず、エンボス加工された不織布で歯牙を擦ると毛羽が生じたり、また含浸された口腔清潔剤の量が不十分になり、使用者にとって感じられる清潔感が不十分という課題がある。
【課題を解決するための手段】
【０００９】
この課題を解決するために、本発明は簡易に歯磨き効果が優れ、また大量生産に相応しい構造の歯牙クリ−ナを次のように構成した。
【００１０】
即ち、請求項１による歯牙クリーナーは、磨き布の一面に指挿入部を形成するためのシートが付着され、前記磨き布の他面には口腔清潔剤を含んでいる歯牙洗浄部が備えられている構成とした。
【００１１】
また、請求項２による歯牙クリーナーは、前述の構成において、記歯牙洗浄部は、
（ａ）前記磨き布の他面に塗り付けられたペースト状の口腔清潔剤、
（ｂ）前記磨き布の他面に付着され、口腔清潔剤を含む綿またはスポンジ、
（ｃ）前記磨き布の他面に形成され、エンボスされた２枚のパルプ紙であって、前記パルプ紙を対称に合紙させることにより形成される内部空間に口腔清潔剤が充填されるところのパルプ紙、
（ｄ）前記磨き布の他面に付着され、口腔清潔剤を含む水膨張材、
（ｅ）前記磨き布の他面に付着され、口腔清潔剤を含む多孔質の不織布、
（ｆ）前記磨き布の他面の所定箇所に縦横に配列された半球状のシリコンドットであって、前記シリコンドット列の間に口腔清潔剤が充填されるところのシリコンドット、
（ｇ）前記磨き布の他面に形成された液状の口腔清潔剤層と固形の口腔清潔剤層、
のうち何れか１つを含む構成とした。
【００１２】
また、請求項３による歯牙クリーナーは、前述の構成において前記磨き布の一面に付着されるシートの表面に歯石を取るための研磨層が更に設けられた構成とした。
【発明の効果】
【００１３】
前述の構成によれば、磨き布にシートを覆うと共に、金型で型抜きをして所定の歯牙クリーナーを大量に得ることができる。
【００１４】
前記歯牙洗浄部に提供される水膨張剤、多孔質の不織布、綿、スポンジなどは口腔の隅々まで良好な接触ができるから洗浄効果が優れるし、マッサ−ジ効果も得ることができる。
【００１５】
また、歯牙洗浄部に提供されるシリコンドットは歯牙の間の隙間まで洗浄することができ、さらに向上される歯牙清潔の効果を得ることができる。
【００１６】
また、前述の色々な形態の歯牙洗浄部はいずれもそれ自体がクッション性を有することから、一般の歯ブラシではできない歯茎や歯周、口蓋、舌などのマッサ−ジもできる。
【００１７】
また、歯牙疾患者の場合にも自身が感じる痛みの程度に合わせてマッサ−ジの強弱を調節しながら行うこともできるし、また一方では指挿入部に設ける研磨層を用いて歯石までも除去することができる。
【００１８】
そして、前述した歯牙洗浄部に含まれている口腔清潔剤は、歯茎、歯周疾患の治療補助用剤や、歯牙洗浄剤等から用途により選択して実施することもできる。
【００１９】
また、この発明の歯牙クリーナーは愛玩犬の歯牙管理用でも用いることができる。
【００２０】
この発明の利点と長所は、以下の添付図面に基づく望ましい実施例を通して、より詳しく理解できるようになる。
【発明を実施するための最良の形態】
【００２１】
図１は、本発明に関する歯牙クリーナーの第１実施例を示す断面図であって、磨き布２の一面にはシート４が付着されて指挿入部６を形成しており、他面には通常の口腔清潔剤８ｃを含む歯牙洗浄部８が設けられている構成を表している。
【００２２】
磨き布２は、主に液体吸水性が良好な素材、例えば、不織布、織布、パルプ、または一面にポリエチレンフィルムが付着した不織布等から適宜に選択して用いる。
【００２３】
この実施例で、前記歯牙洗浄部８は、磨き布２の上面にペースト状の口腔清潔剤８ｃを塗り付けた構成になり、その歯牙洗浄部８の上にはカバー１０が覆われる。
【００２４】
また、本発明の第２実施例であって、前記歯牙洗浄部８として綿やスポンジ等も採用できる。
【００２５】
この場合に、前記綿やスポンジは、液状の口腔清潔剤に一定時間漬けて、内部に口腔清潔剤が含浸されるようにし、取り出して乾燥したものが用いられる。
【００２６】
図２は、この発明に関する歯牙クリーナーの第３実施例を示す図であって、基本構成は前記第１実施例と同一になっているが、単に歯牙洗浄部８はエンボスで加工された２枚のパルプ紙８ａ、８ｂを互いに対称に合紙させて形成される内部空間に、口腔清潔剤８ｃが充填されている構成からなることに差がある。
【００２７】
この実施例において、歯牙洗浄部８はパルプ紙８ｂのエンボス面を成しているから、歯列の間の隙間まで歯磨きができるが、前記エンボス面は対向して合紙されたパルプ紙８ａのエンボス面と対称に接触することにより所定の弾力を有するので、顕著に向上された歯牙の洗浄作用を得られる。
【００２８】
図３は、この発明に関する歯牙クリーナーの第４実施例を示す断面図である。
【００２９】
この実施例においても、基本構成は前記第１、及び第２実施例と同一で、単に歯牙洗浄部８は孔８ｄが無数に開いている不織布で構成されていることに差があるだけで、前記孔８ｄに充填される口腔清潔剤８ｃと、カバー１０で覆われて保護される構成は前述の実施例と同一である。
【００３０】
前記歯牙洗浄部８には孔８ｄが開いているため、その表面は凹凸に形成されるので、歯牙の洗浄効果が向上されると共に、各々の孔８ｄに充填された口腔清潔剤の総量は歯磨きに十分な量で貯蔵されることができる。
【００３１】
この実施例においても、歯牙洗浄部８を形成する不織布は超音波接着により磨き布２に一体に付着される。
【００３２】
図４は、この発明に関する歯牙クリーナーの第５実施例を示す断面図である。
【００３３】
第５実施例において、前記磨き部８は水の吸収で体積が増大する水膨張材でも実施ができる。
【００３４】
水膨張材は高吸水性のパルプを樹脂に混合して成型したものであり、乾燥状態では平たくなって最小の体積を保持するが、水を含めば膨張して大きく変形される特性を有する物質として広く知られており、本発明でもこれを用いられる。
【００３５】
前記歯牙洗浄部８が水膨張材からなる場合に、前記水膨張材は予め液状の口腔清潔剤に浸潤させて、内部が前記口腔清潔剤で含浸されるようにした後に乾燥させて得るものであり、それは超音波接着により前記磨き布２に一体に設けられる。
【００３６】
また、前記歯牙洗浄部８で歯牙と接する面は凹凸に形成して置くことがよい。
【００３７】
このような構造の歯牙クリーナーは、使用者が自身の指先を指挿入部６に嵌めた後に、カバー１０を剥がして歯磨きをするものである。
【００３８】
この時、実際の歯牙洗浄部８になる水膨張材は、前記の歯磨き中に、吸収される水分、唾液によって体積が増大して図示した形態になり、このような形態の変更により歯牙洗浄効果は顕著に向上されると共に、内部に含浸されている口腔清潔剤は徐々に溶出して、歯牙清潔および脱口臭作用を行う。
【００３９】
図５に基づく本発明の第６実施例において、歯牙洗浄部８はバイオセラミック系統のシリコンを点状に付けて、一定のパターンになるシリコンドット列を形成し、このシリコンドット列の間に口腔清潔剤８ｃを詰め込んで、その外面にはカバー１０を覆って保護する構成になっている。
【００４０】
前記シリコンドットは、前述した他の実施例より、さらに歯列の折れ曲がった部位に接触することができるから、殆ど歯ブラシによる歯磨きと同等な清潔感を感じられる。
【００４１】
図６は、本発明に関する第７実施例を示しており、その基本構成は前記実施例と同一で、単に歯牙洗浄部８が液状の歯洗浄層８ｅと固形の歯洗浄層８ｆによる２層構造で形成されたことに差がある。
【００４２】
また、この実施例でシート４の外側には歯石を除去するための研磨層１２がさらに設けられる。
【００４３】
図示した第７実施例において、前記研磨層１２は、指挿入部６を形成するシート４の外面に設けられ、これはポリビニル、ポリエチレンなどのバインダーにマイクロプラスチックボールを混合したものを、前記外面に薄くコーティングして形成されるものであって、前記マイクロプラスチックボールは歯磨き粉の歯研磨材に用いられる物質である。
【００４４】
前記研磨層１２は上述の実施例でも適用できることは勿論である。
【００４５】
また、図７に示したように、本発明の歯牙クリーナーは、磨き布２の適当な部分に糸ようじ（登録商標）（デンタルフロス）１４が横に掛けて置かれる。
【００４６】
前記糸ようじ（登録商標）１４は舌の底部に生じた異物を掻き取る効果がある。
【００４７】
前述のような歯牙クリーナーは、図８ａ及び図８ｂに示す工程により大量生産ができる。
【００４８】
図８ａにおいて、磨き面になる素材１００の一面には予め歯牙洗浄部８が超音波で接着され、次に前記素材１００の他面の両辺にシートになる素材２００を広げて重ねており、その間の接触面を超音波で接着して前記指挿入部６の形状をなすようにする。
【００４９】
一方、前記歯牙洗浄部８には予め口腔清潔剤８ｃが含浸されていてもよい、または前記素材１００の所定箇所に接着し、適宜の注入手段に注入して含浸されるようにすることもできる。
【００５０】
次に、図８ｂに示すように、前記歯牙洗浄部８が付着された面にカバー用フィルム材３００を重ねて付着し、所定の歯牙クリーナーの形状になるように金型で打抜く工程により連続して大量生産することができる。
【図面の簡単な説明】
【００５１】
【図１】本発明に関する歯牙クリーナーの第１及び第２実施例を示す側断面図。
【図２】本発明に関する歯牙クリーナーの第３実施例を示す側断面図。
【図３】本発明に関する歯牙クリーナーの第４実施例を示す側断面図。
【図４】本発明に関する歯牙クリーナーの第５実施例を示す側断面図。
【図５】本発明に関する歯牙クリーナーの第６実施例を示す側断面図。
【図６】本発明に関する歯牙クリーナーの第７実施例を示す側断面図。
【図７】本発明に関する歯牙クリーナーに糸ようじ（登録商標）が適用した例を示す底面図。
【図８ａ】本発明に関する歯牙クリーナーの製造工程を説明するための過程図。
【図８ｂ】本発明に関する歯牙クリーナーの製造工程を説明するための過程図。
【符号の説明】
【００５２】
２  磨き布
４  シート
６  指挿入部
８  歯牙洗浄部
８ａ、８ｂ  パルプ紙
８ｃ  口腔清潔剤
８ｄ  孔
８ｅ  液状の歯洗浄層
８ｆ  固形の歯洗浄層
１０  カバー
１２  研磨層
１４  糸ようじ（登録商標）
【図１】
2007029730.tif 000003
【図２】
2007029730.tif 000004
【図３】
2007029730.tif 000005
【図４】
2007029730.tif 000006
【図５】
2007029730.tif 000007
【図６】
2007029730.tif 000008
【図７】
2007029730.tif 000009
【図８ａ】
2007029730.tif 000010
【図８ｂ】
2007029730.tif 000011